(57)【要約】【課題】飯塊を包装した状態でも、シート状食品が湿気らない包装シートを提供する。【解決手段】本発明に係る包装シート１は、展開状態にて、長方形の外フィルム２と該外フィルム２の裏面側に配備された内フィルム３との間にシート状食品４を挟み、外フィルム２と内フィルム３は、シート状食品４の外周を溶着して一体化されたものであって、外フィルム２は分断可能部21を有し、内フィルム３は前記分断可能部21と平行に全長に亘って連続して設けられた裂断可能部32を有し、該裂断可能部32は、水密に構成され、裂断可能部32に対して略垂直な方向に引っ張ることで破断される。【選択図】図４
2014088204.tif 000002
【特許請求の範囲】
【請求項１】
展開状態にて、長方形の外フィルム(２)と該外フィルム(２)の裏面側に配備された内フィルム(３)との間にシート状食品(４)を挟み、外フィルム(２)と内フィルム(３)は、シート状食品(４)の外周を溶着して一体化された包装シートであって、
外フィルム(２)は分断可能部(21)を有し、
内フィルム(３)は前記分断可能部(21)と平行に全長に亘って連続して設けられた裂断可能部(32)を有し、該裂断可能部(32)は、水密に構成され、裂断可能部(32)に対して略垂直な方向に引っ張ることで破断される、
ことを特徴とする包装シート。
【請求項２】
前記内フィルム(３)は、前記外フィルム(２)の分断可能部(21)に沿って、分断可能部(21)にフィルム片(31)(31)の互いの内縁が折り返され、折り返された端部(31a)を他方のフィルム片(31)と端部(31a)との間に挿入してなる裂断可能部(32)を有し、該裂断可能部(32)は、重なり合わされたフィルム片(31)(31)と端部(31a)(31a)を端部(31a)に沿って連続して熱溶着して形成される、請求項１に記載の包装シート。
【請求項３】
前記熱溶着は、１条又は２条施される、請求項２に記載の包装シート。
【請求項４】
前記内フィルム(３)は、フィルム片(31)(31)の互いの内縁を前記外フィルム(２)の分断可能部(21)に沿って重ね合わせて形成され、前記裂断可能部(32)は、前記フィルム片(31)(31)の重なり合わされた内縁どうしを分断可能部(21)に沿って全長に亘って連続して熱溶着して形成される、請求項１に記載の包装シート。
【請求項５】
前記内フィルム(３)は１枚のフィルムから構成され、前記裂断可能部(32)は、前記分断可能部(21)に沿って破断可能となるように薄肉化して形成される、請求項１に記載の包装シート。
【請求項６】
請求項１乃至請求項５の何れかに記載の包装シートによって飯塊(６)を包装してなる包装飯塊、
【発明の詳細な説明】
【技術分野】
【０００１】
本発明は、内フィルムと外フィルムとの間にシート状食品を挟んで形成し、飯塊を包装することのできる包装シート及び包装飯塊に関するものである。
【背景技術】
【０００２】
コンビニエンスストア等で販売されている棒状飯塊やおにぎりなどの包装用シートとして、外フィルムと内フィルムとの間にシート状海苔を挟んで形成した、三重構造のシートが広く知られている。
【０００３】
外フィルムは、幅方向の中央又は長手方向の中央に分断するための分断可能部を有しており、内フィルムは２枚のフィルム片からなり、夫々外フィルムの外周近傍で熱溶着され、フィルム片の内端どうしは外フィルムの分断可能部上で重ねている(例えば、特許文献１参照)。
【０００４】
上記包装シートによって棒状飯塊やおにぎりを包装した包装飯塊は、分断可能部によって外フィルムを２分し、分断された外フィルムの一方を外側に引っ張ることで、この外フィルムに熱溶着された内フィルムの一方のフィルム片が一緒に引っ張り出される。
また、同様に、他方の外フィルムを外側に引っ張って、残された内フィルムのフィルム片と共に引っ張り出すことで、シート状食品が直に巻き付いた飯塊を得ることができ、これを食することができる。
【先行技術文献】
【特許文献】
【０００５】
【特許文献１】特開２００２−１０１８３２号公報
【発明の概要】
【発明が解決しようとする課題】
【０００６】
内フィルムは、フィルム片の内端どうしを単に重ねただけであるから、水分を多く含有する飯塊と長時間接していると、フィルム片どうしの重なり部から水分が包装シート内に入り込み、シート状食品が湿ってしまうことがあり、食感が悪くなる。
【０００７】
本発明の目的は、飯塊を包装した状態でも、シート状食品が湿気らない包装シートを提供することである。
【課題を解決するための手段】
【０００８】
本発明に係る包装シート(１)は、
展開状態にて、長方形の外フィルム(２)と該外フィルム(２)の裏面側に配備された内フィルム(３)との間にシート状食品(４)を挟み、外フィルム(２)と内フィルム(３)は、シート状食品(４)の外周を溶着して一体化されたものであって、
外フィルム(２)は分断可能部(21)を有し、
内フィルム(３)は前記分断可能部(21)と平行に全長に亘って連続して設けられた裂断可能部(32)を有し、該裂断可能部(32)は、水密に構成され、裂断可能部(32)に対して略垂直な方向に引っ張ることで破断される。
【０００９】
また、本発明に係る包装飯塊は、上記包装シートによって飯塊(６)を包装してなる。
【発明の効果】
【００１０】
本発明に係る包装シート(１)は、飯塊(６)と接する側の内フィルム(３)に形成された裂断可能部(32)は、水密であるため、飯塊(６)を包装したときに、飯塊(６)から出る水分が透過や浸透しないから、シート状食品(４)は湿気ることはなく、シート状食品(４)の乾燥状態を維持できる。
【００１１】
また、裂断可能部(32)は、裂断可能部(32)に対して略垂直な方向に引っ張るだけで破断させることができる。従って、包装飯塊から包装を解く際に、外フィルム(２)を分断可能部(21)にて分断した後、又は、分断可能部(21)の分断と共に、外フィルム(２)と共に分断可能部(21)に対して略垂直な方向に引っ張るだけで、内フィルム(３)は、裂断可能部(32)にて破断されて、乾燥状態のシート状食品(４)が直に巻き付いた飯塊(６)を得ることができる。
【００１２】
本発明の包装シート(１)により飯塊(６)を包装してなる包装飯塊は、乾燥状態のシート状食品(４)が飯塊(６)に直に巻かれた状態であるから、包装を解いた後の見た目もよく、また、食感にもすぐれる。
【図面の簡単な説明】
【００１３】
【図１】図１は、本発明に係る包装シートの分解斜視図である。
【図２】図２は、内フィルムの斜視図である。
【図３】図３は、棒状飯塊を本発明に係る包装シートに載せた斜視図である。
【図４】図４は、図３Ａ−Ａ線に沿う断面図である。
【図５】図５は、本発明に係る包装シートにより飯塊を包装してなる包装飯塊の斜視図である。
【図６】図６は、本発明に係る包装飯塊の包装を解く手順を示す斜視図である。
【図７】図７は、図６に続く包装を解く手順を示す斜視図である。
【図８】図８は、図７に続く包装を解く手順を示す斜視図である。
【図９】図９は、包装が解かれて直にシート状食品が棒状飯塊に被さった状態の斜視図である。
【図１０】図１０は、本発明の包装シートの異なる実施形態を示す断面図である。
【図１１】図１１は、本発明の包装シートの異なる実施形態を示す断面図である。
【図１２】図１２は、本発明の包装シートの異なる実施形態を示す断面図である。
【図１３】図１３は、本発明の包装シートの異なる実施形態を示す断面図である。
【図１４】図１４は、図１３に示す包装シートにより棒状飯塊を包装した包装飯塊の斜視図である。
【図１５】図１５は、図１４の包装飯塊の包装を解く手順を示す斜視図である。
【図１６】図１６は、本発明の包装シートにより三角おにぎりを包装してなる包装飯塊の斜視図である。
【図１７】図１７は、本発明の包装シートにより三角おにぎりを袋状に包装してなる包装飯塊の斜視図である。
【発明を実施するための形態】
【００１４】
以下、図面を参照しながら本発明の包装シート(１)及び該包装シート(１)により飯塊(６)を包装してなる包装飯塊について説明する。
【００１５】
図１に示すように、包装シート(１)は、長方形で透明な外フィルム(２)と内フィルム(３)との間に、シート状食品(４)を挟んで形成される。
【００１６】
外フィルム(２)は、長さ約２０ｃｍ、幅長さ約１２ｃｍである。
外フィルム(２)の長さは、包装される飯塊が棒状飯塊(６)である場合、その周長の１.４乃至１.７程度、幅長さは、棒状飯塊(６)長さに約２ｃｍを加えた長さである。
【００１７】
外フィルム(２)は幅方向又は長手方向の略中央に、外フィルム(２)を全長に亘って方向に裂くことのできる分断可能部(21)を有している。
【００１８】
図１の実施例の分断可能部(21)は、カットテープ(22)を外フィルム(２)の幅方向略中央の裏面に全長に亘って接着したものである。カットテープ(22)の一端を引っ張ると外フィルム(２)をテープ方向に沿って裂くことができる。
【００１９】
外フィルム(２)の一方の端部(25)には、カットテープ(22)の外側に、図１及び図４に示すように、カットテープ(22)に接近してカットテープ(22)と平行に短く平行に切込み(23)(23)が施されている。該切込み(23)(23)間を摘んでカットテープ(22)を引っ張るため、切込み(23)(23)側が外フィルム(２)の分断を開始する側の端部(以下「分断開始端(25)」と称する)となる。
【００２０】
内フィルム(３)は、前記外フィルム(２)に配置される。内フィルム(３)は、外フィルム(２)の分断可能部(21)と平行に全長に亘って連続して設けられた裂断可能部(32)を有する。裂断可能部(32)は、水密に構成され、裂断可能部(32)に対して略垂直な方向に引っ張ることで破断可能となっている。
【００２１】
より詳細には、内フィルム(３)は、図１乃至図４に示すように、同形の２枚のフィルム片(31)(31)で構成することができ、前記外フィルム(２)の分断可能部(21)に沿って、分断可能部(21)にフィルム片(31)(31)の互いの内縁が折り目(35)にて折り返され、折り返された端部(31a)を他方のフィルム片(31)と端部(31a)との間に挿入してなる裂断可能部(32)を有し、該裂断可能部(32)は、互いに噛み合うように重なり合わされたフィルム片(31)(31)と端部(31a)(31a)を分断可能部(21)と略平行となるように連続して熱溶着して形成することができる。
【００２２】
熱溶着部(36)は、フィルム片(31)(31)と端部(31a)(31a)を図２及び図４に示すように、分断可能部(21)に沿って全長に亘って施され、フィルム片(31)(31)及び端部(31a)(31a)を水密に接合し、水分の侵入を阻止するが、裂断可能部(32)に対して略垂直な方向に引っ張ったときに、熱溶着部(36)にてフィルム片(31)(31)と端部(31a)(31a)との接合が解けて剥離し、フィルム片(31)(31)どうしが離間するように施す。
【００２３】
なお、熱溶着部(36)にてフィルム片(31)が分断されるようにしてもよい。
【００２４】
上記熱溶着は、加熱されたコテ、回転丸刃、ローラなどにより行なうことができる。
【００２５】
棒状飯塊(６)を包装する場合、棒状飯塊(６)の端面を覆う端部包み部(33)(33)を内フィルム(３)に形成することができる。端部包み部(33)(33)は、外フィルム(２)の分断開始端(25)とは逆側の端部に近い側面に形成する。
端部包み部(33)(33)は、例えば、両フィルム片(31)(31)の長手方向に沿う側縁から互いに外向きにはみ出して形成することができ、また、端部包み部(33)(33)を別部材として内フィルム(3)に熱溶着することもできる。
【００２６】
端部包み部(33)(33)のはみ出し高さは、棒状飯塊(６)の直径の１.３倍程度である。
【００２７】
内フィルム(３)(フィルム片(31)(31))及び端部包み部(33)(33)は、棒状飯塊(６)からの乖離性の高い材料を用いることが望ましく、また、凹部と凸部が均一に分布したエンボスフィルムを用いることもできる。これにより、内フィルム(３)等に飯粒が付着することを防止できる。
【００２８】
シート状食品(４)は、シート状海苔を例示できるが、おぼろ昆布をシート状に形成したもの、鯣を薄く伸したもの等、包装シート(１)の巻付けに支障とならない薄手の食品であればよい。
シート状食品(４)は、長さ約１５ｃｍ、幅長さ約１０ｃｍであって、長さは前記棒状飯塊(６)の周長の１倍強(約１.２倍)、幅長さは棒状飯塊(６)の長さと略同じである。
【００２９】
図１、図３及び図４に示す如く、外フィルム(２)の上に、シート状食品(４)及び内フィルム(３)が重ねられ、外フィルム(２)と内フィルム(３)を接合して包装シート(１)が形成されている。図３及び図４では、接合は熱溶着により行なっており、符号(11)(11)は溶着線を示している。なお、外フィルム(２)の分断可能部(21)の近傍やフィルム片(31)(31)の重なり部には熱溶着を施さないことが望ましい。
【００３０】
さらに、外フィルム(２)と内フィルム(３)は、収容されたシート状食品(４)がずれないように、シート状食品(４)を囲むように複数箇所で点溶着(12)を施しておくことが望ましい。
【００３１】
上記のように、外フィルム(２)、シート状食品(４)及び内フィルム(３)から構成される包装シート(１)により、飯塊(棒状飯塊)(６)が包装される。
【００３２】
棒状飯塊(６)は、直径約４ｃｍ、長さ約１０ｃｍとすることができる。棒状飯塊(６)は白米やかやくご飯など円柱状の塊であり、部分的或いは全体に胡麻等の振掛け食品を振り掛けておいてもよい。
【００３３】
図３に示す如く、棒状飯塊(６)は、内フィルム(３)を上にした包装シート(１)に載せられる。棒状飯塊(６)は、内フィルム(３)の端部包み部(33)(33)側に倒れ状態で外フィルム(２)の分断可能部(21)(21)と直交し、両端がシート状食品(４)からはみ出さないように中央付近に載せることができる。
【００３４】
次に、図３の矢印Ｂで示すように、内フィルム(３)の両端部包み部(33)(33)で棒状飯塊(６)の両端部を包み、図５に示すように包装シート(１)を棒状飯塊(６)の外周に巻き付けることで、包装飯塊を得ることができる。
【００３５】
棒状飯塊(６)を包装した後、図５に示すように、外フィルム(２)の巻き終わり側となる分断開始端(25)側を止着手段(５)により封止することができる。図示の実施例では、分断可能部(21)を挟んで２枚の止着手段(５)を貼着している。
【００３６】
包装飯塊は、内フィルム(３)が裂断可能部(32)にて水密になっているから、飯塊(６)を包装しても、飯塊(６)の水分や水蒸気が内フィルム(３)を通じて包装シート(１)の内側に到達することはない。特に裂断可能部(32)は水密であるため、水分や水蒸気の侵入を防止できる。このため、シート状食品(４)は湿気ることなく乾燥状態を維持でき、乾燥状態を維持できる。
【００３７】
図５に示すように包装された包装飯塊は、以下の要領でその包装を解くことができる。
まず、図６に示すように、止着手段(５)を剥がすと、包装シート(１)は、分断開始端(25)側が立ち上がる。この状態から、包装シート(１)の飯塊(６)への巻きを少し緩めて、分断可能部(21)であるカットテープ(22)の分断開始端(25)側の端部を指先で摘んで引っ張り、図７に示すように、外フィルム(２)をカットテープ(22)に沿って分断する。最後までカットテープ(22)を引くことで、外フィルム(２)は、完全に左右に分断された状態となる。
【００３８】
次に、分断された外フィルム(２)の一方を飯塊(６)ごと掴んで、図８に示すように、他方の外フィルム(２)を摘み、矢印方向に引っ張る。この引張りにより、外フィルム(２)に熱溶着(11)により接合されている内フィルム(３)は、裂断可能部(32)に略垂直方向の引張り力が作用するから、裂断可能部(32)は、熱溶着部(36)にて剥離し、フィルム片(31)(31)と折り返された端部(31a)(31a)どうしが分離する。その結果、分断された一方の外フィルム(２)とフィルム片(31)は、シート状食品(４)を残して一体に引き出される。図８に示すように、内フィルム(３)は、熱溶着部(36)が剥離する際に、折り返された端部(31a)が引っ張られて、折り目(35)が開いて引き出されることとなる。
【００３９】
次に、露出したシート状食品(４)に包まれた飯塊(６)を掴み、残りの外フィルム(２)を反対側に引っ張ることで、前記残りの外フィルム(２)とフィルム片(31)はシート状食品(４)を残して一体に引き出され、図９に示すように、シート状食品(４)が直に巻かれた飯塊(６)を得ることができる。
【００４０】
シート状食品(４)は乾燥した状態を維持しているから、包装を解く際に外フィルム(２)や内フィルム(３)に貼り付いて破れてしまうことはなく、スムーズ且つ容易に包装を解くことができる。
【００４１】
得られた飯塊(６)は、乾燥したシート状食品(４)が巻かれているから、食感がよく、また、シート状食品(４)が乾燥しているから手で掴んでもべた付くこともない。
【００４２】
図１０乃至図１３は、本発明の異なる包装シート(１)の斜視図及び断面図である。上記と同じ符号は同じ又は同等の部材を示し、説明を適宜省略する。
【００４３】
図１０に示す包装シート(１)は、図４に示した裂断可能部(32)において、熱溶着部(36)を１条とした実施例である。熱溶着部(36)を１条としたことで、図４に示す包装シート(１)よりも水密性には劣るが、作製は容易である。
【００４４】
図１１に示す包装シート(１)は、内フィルム(３)のフィルム片(31)(31)について、互いの内縁を前記外フィルム(２)の分断可能部(21)上で、約１ｃｍの重なり幅で重ねて熱溶着(36)を施し、裂断可能部(32)を形成したものである。
【００４５】
図１２に示す包装シート(１)は、内フィルム(３)を一枚のフィルムから構成した実施例である。内フィルム(３)は、外フィルム(２)の分断可能部(21)に沿って、破断可能となるように薄肉化した裂断可能部(32)を有する。
前記裂断可能部(32)は、内フィルム(３)を貫通することなく水密に形成され、且つ、内フィルム(３)を裂断可能部(32)に対して略垂直な方向に引っ張ったときに、裂断可能部(32)から内フィルム(３)が２つに裂けるように施す。
【００４６】
上記薄肉化した裂断可能部(32)は、内フィルム(３)に加熱されたコテ、加熱又は非加熱の回転丸刃、ローラなどを当てて溝状に凹みを形成すればよい。
【００４７】
包装シート(１)は、内フィルム(３)が水密であるから、飯塊(６)を包装したときに内フィルム(３)を通じてシート状食品(４)に水分が侵入することはなく、シート状食品(４)の乾燥状態を維持できる。
【００４８】
また、包装を解く際には、上記実施例と同様に、内フィルム(３)が裂断可能部(32)に対して略垂直な方向に引っ張られることで、容易に破断され、乾燥状態にあるシート状食品(４)が直に巻かれた飯塊(６)を得ることができる。
【００４９】
図１３は、外フィルム(２)の分断可能部(21)をカットテープに代えてミシン目の如き複数の切込みを連続して形成した実施例である。
分断可能部(21)である切込みからの水分の侵入を防止するために、外フィルム(２)は、分断可能部(21)に沿う内側に短冊状のカバーフィルム(24)を熱溶着(18)等により接合し、切込みを覆うようにすることが望ましい。
なお、他の実施形態における包装シート(１)においても、外フィルム(２)の分断可能部(21)は、図１３に示したミシン目を採用することができることは勿論である。
【００５０】
図１４は、図１３に示した包装シート(１)により飯塊(６)を包装した実施例である。飯塊(６)の包装の要領は上記実施例と同様である。
【００５１】
図１４の包装飯塊は、図１５に示すように、一方の外フィルム(２)を飯塊(６)ごと掴み、他方の外フィルム(２)を摘んで矢印方向に引っ張る。この引張りにより、外フィルム(２)は分断可能部(21)にて分断されると共に、外フィルム(２)に熱溶着(11)により接合されている内フィルム(３)は、裂断可能部(32)に略垂直方向の引張り力が作用するから、裂断可能部(32)にてフィルム片(31)(31)は破断し、図１５に示すように、外フィルム(２)とフィルム片(31)は、シート状食品(４)を残して一体に引き出される。
【００５２】
次に、露出したシート状食品(４)に包まれた飯塊(６)を掴み、残りの外フィルム(２)を反対側に引っ張ることで、前記残りの外フィルム(２)とフィルム片(31)はシート状食品(４)を残して一体に引き出され、シート状食品(４)が直に巻かれた飯塊(６)を得ることができる(図９参照)。
【００５３】
なお、飯塊(６)に包装シート(１)を緊密に巻き付けると、上記のように上手く包装を解けないことがある。このような場合には、止着手段(５)を剥がして、少し包装シート(１)の巻きを緩めることで、スムーズに包装を解くことができる。
【００５４】
本実施例においても、シート状食品(４)は乾燥した状態を維持しているから、包装を解く際に外フィルム(２)や内フィルム(３)に貼り付いて破れてしまうことはない。また、得られた飯塊(６)は、乾燥したシート状食品(４)が巻かれているから、食感がよく、また、シート状食品(４)が乾燥しているから手で掴んでもべた付くこともない。
【００５５】
図１６は、図１に示した内フィルム(３)から左右に突出した端部包み部(33)(33)を取り去って、長方形形状とした包装シート(１)により三角おにぎり(飯塊(６))を包み込むように包装した実施例である。飯塊(６)の底面中央から頂点に向けて分断可能部(21)及び裂断可能部(図示されず)が延びるように包装している。
【００５６】
図１７は、図１に示した内フィルム(３)から左右に突出した端部包み部(33)(33)を取り去って、長方形形状とした包装シート(１)により三角おにぎり(飯塊(６))を袋状に包装し、上端を熱溶着(15)した実施例である。飯塊(６)の底面中央から頂点に向けて分断可能部(21)及び裂断可能部(図示されず)が延びるように包装している。
【００５７】
何れの実施例においても、シート状食品(４)は乾燥した状態を維持しているから、包装を解く際に外フィルム(２)や内フィルム(３)に貼り付いて破れてしまうことはない。また、得られた飯塊(６)は、乾燥したシート状食品(４)が巻かれているから、食感がよく、また、シート状食品(４)が乾燥しているから手で掴んでもべた付くこともない。
【００５８】
なお、図１６や図１７に示すように包装シート(１)をコ字状に折り曲げて使用する場合、図４と図１０に示した包装シート(１)を比較すると、図４のように内フィルム(３)の裂断可能部(32)に２条の熱溶着部(36)を形成したものを用いることが特に好適である。その理由として、図４及び図１０に示す内フィルム(３)は、フィルム片(31)(31)と折り畳まれた端部(31a)(31a)が重なって４重構造となっているから厚みがあり、この厚みにより、１条の熱溶着部(36)であれば、コ字状に折り曲げたときに、溶着されていない折り目(35)側の内フィルム(３)が内向きに屈曲して、熱溶着部(36)が分断されることがあるためである。
【００５９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００６０】
例えば、飯塊(６)は、棒状、三角形状だけでなく、扁平丸形、俵型、直方体型などとすることができる。
【００６１】
また、内フィルム(３)の裂断可能部(32)は、本発明の効果を発揮する程度において、上記構成に限定されるものではない。
【００６２】
さらに、外フィルム(２)の分断可能部(21)も、上記実施例には限定されず、例えば、カットテープ(22)を２列に形成することもできる。この場合、内フィルム(３)の裂断可能部(32)は、２列に形成されたカットテープ(22)(22)間、望ましくは中央に形成されるようにすればよい。
【符号の説明】
【００６３】
(10)  包装シート
(２)  外フィルム
(21)  分断可能部
(３)  内フィルム
(32)  裂断可能部
(36)  熱溶着部
(４)  シート状食品
(６)  飯塊
【図１】
2014088204.tif 000003
【図２】
2014088204.tif 000004
【図３】
2014088204.tif 000005
【図４】
2014088204.tif 000006
【図５】
2014088204.tif 000007
【図６】
2014088204.tif 000008
【図７】
2014088204.tif 000009
【図８】
2014088204.tif 000010
【図９】
2014088204.tif 000011
【図１０】
2014088204.tif 000012
【図１１】
2014088204.tif 000013
【図１２】
2014088204.tif 000014
【図１３】
2014088204.tif 000015
【図１４】
2014088204.tif 000016
【図１５】
2014088204.tif 000017
【図１６】
2014088204.tif 000018
【図１７】
2014088204.tif 000019